(57)【要約】      （修正有）【課題】容易にずれを防止してスクリーン保護シート本体を携帯型ゲーム機のディスプレイスクリーンに貼ることができる携帯型ゲーム機のスクリーン保護シートを提供する。【解決手段】携帯型ゲーム機１のスクリーン保護シート１０は、上部層となる表面保護材１１と、下部層となる接着面保護材１２Ａ，１２Ｂと、この接着面保護材と表面保護材１１との間に設けられたスクリーン保護シート本体と、を備え、携帯型ゲーム機１のディスプレスクリーン２に表示される十字形状の表示体２Ａに表示部１１Ａが合致した状態で、スクリーン保護シート本体と、ディスプレイスクリーン２とが一致するような位置に配置されているものである。【選択図】図４
0003188866.tif 000002
【実用新案登録請求の範囲】
【請求項１】
上部層となる表面保護材と、下部層となる接着面保護材と、この接着面保護材と前記
表面保護材との間に設けられたスクリーン保護シート本体と、を備え、
前記スクリーン保護シート本体の裏面に粘着剤が塗布され、前記スクリーン保護シート本体が、携帯型ゲーム機のディスプレイスクリーン上に密着することで、前記携帯型ゲーム機のディスプレイスクリーンを保護するスクリーン保護シートであって、
前記表面保護材は、前記携帯型ゲーム機のディスプレスクリーンに表示される十字形状の表示体に合致する十字形状の表示部を有し、
前記スクリーン保護シート本体は前記携帯型ゲーム機のディスプレイスクリーンと同じサイズであり、前記携帯型ゲーム機のディスプレスクリーンに表示される十字形状の表示体に前記表示部が合致した状態で、前記スクリーン保護シート本体と、前記ディスプレイスクリーンとが一致するような位置に配置され、
前記表面保護材は、前記スクリーン保護シート本体と一致する形状を有する本体と、前記本体の他方の側部に取り付けられた、当該他方の側部に突出する手持ちタブと、を有し、
前記表面保護材と、前記スクリーン保護シート本体とは、剥離可能に密着し、
前記接着面保護材と、前記スクリーン保護シート本体とは、剥離可能に密着している
ことを特徴とする携帯型ゲーム機のスクリーン保護シート。
【請求項２】
上部層となる表面保護材と、下部層となる接着面保護材と、この接着面保護材と前記
表面保護材との間に設けられたスクリーン保護シート本体と、を備え、
前記スクリーン保護シート本体の裏面に粘着剤が塗布され、前記スクリーン保護シート本体が、携帯型ゲーム機のディスプレイスクリーン上に密着することで、前記携帯型ゲーム機のディスプレイスクリーンを保護するスクリーン保護シートであって、
前記携帯型ゲーム機のディスプレスクリーンの四角形状の周囲には、枠部が形成され、
前記表面保護材は、前記携帯型ゲーム機のディスプレスクリーンの右辺の縁部に合致する右垂直部の表示部、前記携帯型ゲーム機のディスプレスクリーンの上辺の縁部に合致する上水平部の表示部、前記携帯型ゲーム機のディスプレスクリーンの左辺の縁部に合致する左垂直部の表示部、前記携帯型ゲーム機のディスプレスクリーンの下辺の縁部に合致する下水平部の表示部を有し、
前記スクリーン保護シート本体は前記携帯型ゲーム機のディスプレイスクリーンと同じサイズであり、前記右垂直部の表示部に前記携帯型ゲーム機のディスプレスクリーンの右辺の縁部が、前記上水平部の表示部に前記携帯型ゲーム機のディスプレスクリーンの上辺の縁部が、前記左垂直部の表示部に前記携帯型ゲーム機のディスプレスクリーンの左辺の縁部が、前記下水平部の表示部に前記携帯型ゲーム機のディスプレスクリーンの下辺の縁部が、それぞれ合致した状態で、前記スクリーン保護シート本体と、前記ディスプレイスクリーンとが一致するような位置に配置され、
前記表面保護材は、前記スクリーン保護シート本体と一致する形状を有する本体と、前記本体の他方の側部に取り付けられた、当該他方の側部に突出する手持ちタブと、を有し、
前記表面保護材と、前記スクリーン保護シート本体とは、剥離可能に密着し、
前記接着面保護材と、前記スクリーン保護シート本体とは、剥離可能に密着している
ことを特徴とする携帯型ゲーム機のスクリーン保護シート。
【請求項３】
表面保護材は四角形で、手持ちタブは、平面視、前記四角形の右辺より外側に突出するように設けられ、
接着面保護材は四角形で、該四角形は分割された第１の四角形と第２の四角形とからなり、前記第２の四角形は前記第１の四角形より大きく、十字形状の表示部の下には前記第１の四角形ではなく前記第２の四角形が位置し、
平面視、前記接着面保護材の前記第１の四角形は左、前記接着面保護材の前記第２の四角形は右にそれぞれ位置している
ことを特徴とする請求項１又は請求項２記載の携帯型ゲーム機のスクリーン保護シート。
【請求項４】
表面保護材、スクリーン保護シート本体及び接着面保護材は、透明又は半透明である    ことを特徴とする請求項１又は請求項２記載の携帯型ゲーム機のスクリーン保護シート。
【考案の詳細な説明】
【技術分野】
【０００１】
本考案は、携帯型ゲーム機のスクリーン保護シートに係り、特に、携帯型ゲーム機のディスプレイスクリーンに十字型カーソルキーがなくても、容易にずれを防止してスクリーン保護シート本体を携帯型ゲーム機のディスプレイスクリーンに貼ることができる携帯型ゲーム機のスクリーン保護シートに関する。
【背景技術】
【０００２】
本件考案者は、先に、携帯型ゲーム機のディスプレイスクリーンの左側部に形成された十字型カーソルキーに、部分的に整合する形状を有する位置合わせタブを備えた携帯型ゲーム機のスクリーン保護シートを開示した（特許文献１）。
【先行技術文献】
【特許文献】
【０００３】
【特許文献１】実用新案登録第３１５７１４０号公報
【考案の概要】
【考案が解決しようとする課題】
【０００４】
ところが、上記携帯型ゲーム機のスクリーン保護シートにあっては、携帯型ゲーム機のディスプレイスクリーンの左側部に十字型カーソルキーがなければ、位置あわせができないという問題点があった。
【０００５】
本考案は、上記の問題点を除去するようにした携帯型ゲーム機のスクリーン保護シートを提供することを目的とする。
【課題を解決するための手段】
【０００６】
請求項１記載の携帯型ゲーム機のスクリーン保護シートは、上部層となる表面保護材と、下部層となる接着面保護材と、この接着面保護材と前記表面保護材との間に設けられたスクリーン保護シート本体と、を備え、前記スクリーン保護シート本体の裏面に粘着剤が塗布され、前記スクリーン保護シート本体が、携帯型ゲーム機のディスプレイスクリーン上に密着することで、前記携帯型ゲーム機のディスプレイスクリーンを保護するスクリーン保護シートであって、前記表面保護材は、前記携帯型ゲーム機のディスプレスクリーンに表示される十字形状の表示体に合致する十字形状の表示部を有し、前記スクリーン保護シート本体は前記携帯型ゲーム機のディスプレイスクリーンと同じサイズであり、前記携帯型ゲーム機のディスプレスクリーンに表示される十字形状の表示体に前記表示部が合致した状態で、前記スクリーン保護シート本体と、前記ディスプレイスクリーンとが一致するような位置に配置され、前記表面保護材は、前記スクリーン保護シート本体と一致する形状を有する本体と、前記本体の他方の側部に取り付けられた、当該他方の側部に突出する手持ちタブと、を有し、前記表面保護材と、前記スクリーン保護シート本体とは、剥離可能に密着し、前記接着面保護材と、前記スクリーン保護シート本体とは、剥離可能に密着しているものである。
【０００７】
また、請求項２記載の携帯型ゲーム機のスクリーン保護シートは、上部層となる表面保護材と、下部層となる接着面保護材と、この接着面保護材と前記表面保護材との間に設けられたスクリーン保護シート本体と、を備え、前記スクリーン保護シート本体の裏面に粘着剤が塗布され、前記スクリーン保護シート本体が、携帯型ゲーム機のディスプレイスクリーン上に密着することで、前記携帯型ゲーム機のディスプレイスクリーンを保護するスクリーン保護シートであって、前記携帯型ゲーム機のディスプレスクリーンの四角形状の周囲には、枠部が形成され、前記表面保護材は、前記携帯型ゲーム機のディスプレスクリーンの右辺の縁部に合致する右垂直部の表示部、前記携帯型ゲーム機のディスプレスクリーンの上辺の縁部に合致する上水平部の表示部、前記携帯型ゲーム機のディスプレスクリーンの左辺の縁部に合致する左垂直部の表示部、前記携帯型ゲーム機のディスプレスクリーンの下辺の縁部に合致する下水平部の表示部を有し、前記スクリーン保護シート本体は前記携帯型ゲーム機のディスプレイスクリーンと同じサイズであり、前記右垂直部の表示部に前記携帯型ゲーム機のディスプレスクリーンの右辺の縁部が、前記上水平部の表示部に前記携帯型ゲーム機のディスプレスクリーンの上辺の縁部が、前記左垂直部の表示部に前記携帯型ゲーム機のディスプレスクリーンの左辺の縁部が、前記下水平部の表示部に前記携帯型ゲーム機のディスプレスクリーンの下辺の縁部が、それぞれ合致した状態で、前記スクリーン保護シート本体と、前記ディスプレイスクリーンとが一致するような位置に配置され、前記表面保護材は、前記スクリーン保護シート本体と一致する形状を有する本体と、前記本体の他方の側部に取り付けられた、当該他方の側部に突出する手持ちタブと、を有し、前記表面保護材と、前記スクリーン保護シート本体とは、剥離可能に密着し、前記接着面保護材と、前記スクリーン保護シート本体とは、剥離可能に密着しているものである。
【０００８】
また、請求項３記載の携帯型ゲーム機のスクリーン保護シートは、請求項１又は請求項２記載の携帯型ゲーム機のスクリーン保護シートにおいて、表面保護材は四角形で、手持ちタブは、平面視、前記四角形の右辺より外側に突出するように設けられ、接着面保護材は四角形で、該四角形は分割された第１の四角形と第２の四角形とからなり、前記第２の四角形は前記第１の四角形より大きく、十字形状の表示部の下には前記第１の四角形ではなく前記第２の四角形が位置し、平面視、前記接着面保護材の前記第１の四角形は左、前記接着面保護材の前記第２の四角形は右にそれぞれ位置しているものである。
【０００９】
また、請求項４記載の携帯型ゲーム機のスクリーン保護シートは、請求項１又は請求項２記載の携帯型ゲーム機のスクリーン保護シートにおいて、表面保護材、スクリーン保護シート本体及び接着面保護材は、透明又は半透明である。
【考案の効果】
【００１０】
請求項１記載の携帯型ゲーム機のスクリーン保護シートによれば、携帯型ゲーム機のディスプレイスクリーンに表示された十字形状の表示体に表面保護材の十字形状の表示部を合致させれば、携帯型ゲーム機のディスプレイスクリーンに十字型カーソルキーがなくても、容易にずれを防止してスクリーン保護シート本体を携帯型ゲーム機のディスプレイスクリーンに貼ることができる。
【００１１】
また、請求項２記載の携帯型ゲーム機のスクリーン保護シートによれば、表面保護材の右垂直部の表示部に携帯型ゲーム機のディスプレスクリーンの右辺の縁部が、表面保護材の右垂直部の上水平部の表示部に前記携帯型ゲーム機のディスプレスクリーンの上辺の縁部が、表面保護材の右垂直部の左垂直部の表示部に前記携帯型ゲーム機のディスプレスクリーンの左辺の縁部が、表面保護材の下水平部の表示部に前記携帯型ゲーム機のディスプレスクリーンの下辺の縁部を、それぞれ合致させれば、携帯型ゲーム機のディスプレイスクリーンに十字型カーソルキーがなくても、容易にずれを防止してスクリーン保護シート本体を携帯型ゲーム機のディスプレイスクリーンに貼ることができる。
【００１２】
また、請求項３記載の携帯型ゲーム機のスクリーン保護シートによれば、上述した請求項１又は請求項２記載の考案の効果に加え、接着面保護材は、分割された第１の四角形と第２の四角形とからなり、前記第２の四角形は前記第１の四角形より大きく、十字形状の表示部の下には前記第１の四角形ではなく前記第２の四角形が位置しているため、一方の手を接着面保護材の分割された第２の四角形の部位を剥離した側の手持ちタブに、他方の手を剥離していない第１の四角形の上の表面保護材に、それぞれ支持しながら、位置をあわせをすることができ、容易にずれをの防止を図ることができる。
【図面の簡単な説明】
【００１３】
【図１】図１は、本考案の一実施例の携帯型ゲーム機のスクリーン保護シートを携帯型ゲーム機に貼る前の状態の概略的斜視図である。
【図２】図２は、図１の携帯型ゲーム機のスクリーン保護シートの剥離状態を示す概略的断面図である。
【図３】図３は、図１の携帯型ゲーム機のスクリーン保護シートを分解して示す概略的分解斜視図である。
【図４】図４は、図１の携帯型ゲーム機のスクリーン保護シートから接着面保護材の第２の四角形を剥離してスクリーン保護シート本体を携帯型ゲーム機のディスプレスクリーンに貼る前の状態を示す概略的図である。
【図５】図５は、図４のスクリーン保護シート本体を携帯型ゲーム機のディスプレスクリーンに貼った状態を示す概略的図である。
【図６】図６は、図５の携帯型ゲーム機のスクリーン保護シートから接着面保護材の第１の四角形を剥離してスクリーン保護シート本体を携帯型ゲーム機のディスプレスクリーンに貼った状態を示す概略的図である。
【図７】図７は、図４〜図６の実施例と異なる他の実施例を示した概略的図である。
【図８】図８は、図７の携帯型ゲーム機のスクリーン保護シートから接着面保護材の第１の四角形を剥離してスクリーン保護シート本体を携帯型ゲーム機のディスプレスクリーンに貼った状態を示す概略的図である。
【考案を実施するための形態】
【００１４】
本考案の一実施例の携帯型ゲーム機のスクリーン保護シートを図面を参照して説明する。
図１に示す１０は携帯型ゲーム機１のディスプレイスクリーン２を保護する携帯型ゲーム機のスクリーン保護シートである。
携帯型ゲーム機１のスクリーン保護シート１０は、上部層となる表面保護材１１と、下部層となる接着面保護材１２と、この接着面保護材１２と表面保護材１１との間に設けられたスクリーン保護シート本体１３とを備えている。
なお、表面保護材１１は、透明又は半透明で、例えば、ポリエチレンで形成され、可撓性を有し、その厚みは、例えば、０．０６ｍｍ程度である。
また、接着面保護材１２は、透明又は半透明で、例えば、ポリプロピレンで形成され、可撓性を有し、その厚みは、例えば、０．０６ｍｍ程度である。
また、スクリーン保護シート本体１３は、透明又は半透明で、例えば、ポリエチレンテレフタレートで形成され、可撓性を有し、その厚みは、例えば、０．１５ｍｍ程度である。
【００１５】
スクリーン保護シート本体１３の裏面には粘着剤が塗布され、スクリーン保護シート本体１３が、携帯型ゲーム機１のディスプレイスクリーン２上に密着することで、携帯型ゲーム機１のディスプレイスクリーン２を保護するものである。
なお、携帯型ゲーム機１のディスプレイスクリーン２上には、例えば、３Ｄカメラの十字形状の表示体（地面と水平に撮影するめやすとなる線の表示と該表示に対して垂直方向の線の表示）２Ａが表示される。
表面保護材１１は、携帯型ゲーム機１のディスプレスクリーン２に表示される十字形状の表示体２Ａに合致する十字形状の表示部１１Ａを有している。
【００１６】
スクリーン保護シート本体１３は携帯型ゲーム機１のディスプレイスクリーン２と同じサイズであり、携帯型ゲーム機１のディスプレスクリーン２に表示される十字形状の表示体２Ａに表示部１１Ａが合致した状態で、スクリーン保護シート本体１３と、ディスプレイスクリーン２とが一致するような位置に配置されている。
表面保護材１１は、スクリーン保護シート本体１３と一致する形状を有する本体１１Ｘと、本体１１Ｘの他方の側部に取り付けられた、当該他方の側部に突出する手持ちタブ１１Ｂと、を有している。
そして、表面保護材１１と、スクリーン保護シート本体１３とは、剥離可能に密着し、また、接着面保護材１２と、スクリーン保護シート本体１３とは、剥離可能に密着している。
なお、表面保護材１１は四角形で、手持ちタブ１１Ｂは、平面視、前記四角形の右辺より外側に突出するように設けられ、接着面保護材１２は四角形で、該四角形は分割された第１の四角形１２Ａと第２の四角形１２Ｂとからなり、第２の四角形１２Ｂは第１の四角形１２Ａより大きく、十字形状の表示部１１Ａの下には第１の四角形１２Ａではなく第２の四角形１２Ｂが位置し、平面視、接着面保護材１２の第１の四角形１２Ａは左、接着面保護材１２の第２の四角形１２Ｂは右にそれぞれ位置している。
【００１７】
次に、スクリーン保護シート本体１３を携帯型ゲーム機１のディスプレイスクリーン２に貼る具体的な過程に沿って説明する。
先ず、図４に示すように、スクリーン保護シート１０の内、下部層となる接着面保護材１２の第２の四角形１２Ｂを剥がす。
一方の手を手持ちタブ１１Ｂに、他方の手を剥離していない第１の四角形１２Ａの上の表面保護材１１に、それぞれ支持しながら、携帯型ゲーム機１のディスプレイスクリーン２に表示された十字形状の表示体２Ａに表面保護材１１の十字形状の表示部１１Ａの位置をあわせして合致させてゆっくりと貼り付けていく（図５参照）。
次に、残りの第１の四角形１２Ａを剥がしながら、スクリーン保護シート本体１３を携帯型ゲーム機１のディスプレイスクリーン２に貼り付けていく（図６参照）。
最後に、手持ちタブ１１Ｂを持って、表面保護材１１をスクリーン保護シート本体１３から剥がせば、スクリーン保護シート本体１３を携帯型ゲーム機１のディスプレイスクリーン２に貼ることができる。
【００１８】
従って、上述した携帯型ゲーム機１のスクリーン保護シート１０によれば、携帯型ゲーム機１のディスプレイスクリーン２に表示された十字形状の表示体２Ａに表面保護材１１の十字形状の表示部１１Ａを合致させれば、携帯型ゲーム機１のディスプレイスクリーン２に十字型カーソルキーがなくても、容易にずれを防止してスクリーン保護シート本体１３を携帯型ゲーム機１のディスプレイスクリーン２に貼ることができる。
【００１９】
上述した実施例の説明においては、携帯型ゲーム機１のディスプレイスクリーン２に表示された十字形状の表示体２Ａに表面保護材１１の十字形状の表示部１１Ａを合致させてスクリーン保護シート本体１３を携帯型ゲーム機１のディスプレイスクリーン２に貼るようにしたが、携帯型ゲーム機１の電源がオフの場合にも適用できる。
【００２０】
即ち、携帯型ゲーム機１のスクリーン保護シート１０は、上述したように、上部層となる表面保護材１１と、下部層となる接着面保護材１２と、この接着面保護材１２と表面保護材１１との間に設けられたスクリーン保護シート本体１３とを備えている。
また、スクリーン保護シート本体１３の裏面には上述の実施例と同様、粘着剤が塗布され、スクリーン保護シート本体１３が、携帯型ゲーム機１のディスプレイスクリーン２上に密着することで、携帯型ゲーム機１のディスプレイスクリーン２を保護するものである。
なお、携帯型ゲーム機１のディスプレスクリーン２の四角形状の周囲には、枠部Ｓが形成されている（図１参照）。
そして、表面保護材１１は、携帯型ゲーム機１のディスプレスクリーン２の右辺の縁部２ａに合致する右垂直部の表示部１１ａ、携帯型ゲーム機１のディスプレスクリーン２の上辺の縁部２ｂに合致する上水平部の表示部１１ｂ、携帯型ゲーム機１のディスプレスクリーン２の左辺の縁部２ｃに合致する左垂直部の表示部１１ｃ、携帯型ゲーム機１のディスプレスクリーン２の下辺の縁部２ｄに合致する下水平部の表示部１１ｄを有している。
【００２１】
また、スクリーン保護シート本体１３は携帯型ゲーム機１のディスプレイスクリーン２と同じサイズであり、右垂直部の表示部１１ａに携帯型ゲーム機１のディスプレスクリーン２の右辺の縁部２ａが、上水平部の表示部１１ｂに携帯型ゲーム機１のディスプレスクリーン２の上辺の縁部２ｂが、左垂直部の表示部１１ｃに携帯型ゲーム機１のディスプレスクリーン２の左辺の縁部２ｃが、下水平部の表示部１１ｄに携帯型ゲーム機１のディスプレスクリーン２の下辺の縁部２ｄが、それぞれ合致した状態で、スクリーン保護シート本体１３と、ディスプレイスクリーン２とが一致するような位置に配置されている。
表面保護材１１は、スクリーン保護シート本体１３と一致する形状を有する本体１１Ｘと、本体１１Ｘの他方の側部に取り付けられた、当該他方の側部に突出する手持ちタブ１１Ｂと、を有している。
また、表面保護材１１と、スクリーン保護シート本体１３とは、剥離可能に密着し、
接着面保護材１２と、スクリーン保護シート本体１３とは、剥離可能に密着している。
【００２２】
従って、上述の実施例と同様、スクリーン保護シート１０の内、下部層となる接着面保護材１２の第２の四角形１２Ｂを剥がす。
一方の手を手持ちタブ１１Ｂに、他方の手を剥離していない第１の四角形１２Ａの上の表面保護材１１に、それぞれ支持しながら、表面保護材１１の右垂直部の表示部１１ａに携帯型ゲーム機１のディスプレスクリーン２の右辺の縁部２ａが、表面保護材１１の上水平部の表示部１１ｂに携帯型ゲーム機１のディスプレスクリーンの上辺の縁部２ｂが、表面保護材１１の左垂直部の表示部１１ｃに携帯型ゲーム機１のディスプレスクリーン２の左辺の縁部２ｃが、表面保護材１１の下水平部の表示部１１ｄに携帯型ゲーム機１のディスプレスクリーン２の下辺の縁部２ｄを、それぞれ合致させてゆっくりと貼り付けていく（図１及び図７参照）。
次に、残りの第１の四角形１２Ａを剥がしながら、スクリーン保護シート本体１３を携帯型ゲーム機１のディスプレイスクリーン２に貼り付けていく（図８参照）。
最後に、手持ちタブ１１Ｂを持って、表面保護材１１をスクリーン保護シート本体１３から剥がせば、スクリーン保護シート本体１３を携帯型ゲーム機１のディスプレイスクリーン２に貼ることができる。
【符号の説明】
【００２３】
１     携帯型ゲーム機
２     ディスプレスクリーン
２ａ    表示体
１０     スクリーン保護シート
１１     表面保護材
１２     接着面保護材
１２ａ   表示部
１３     スクリーン保護シート本体
【図１】
0003188866.tif 000003
【図２】
0003188866.tif 000004
【図３】
0003188866.tif 000005
【図４】
0003188866.tif 000006
【図５】
0003188866.tif 000007
【図６】
0003188866.tif 000008
【図７】
0003188866.tif 000009
【図８】
0003188866.tif 000010